(57)【特許請求の範囲】
【請求項１】
新聞紙面に掲載する少なくとも記事、画像、写真からなる複数の素材を各紙面に割り当て、前記割り当てられた素材を、前記紙面を構成している複数の紙面領域のうちの何れかに配置して前記紙面の紙面データを編集するための複数の編集手段と、
前記各紙面領域のそれぞれについて編集可能な前記編集手段の登録要求を前記複数の編集手段のうちの何れかから受け付け、前記登録要求した編集手段と、対応する紙面領域とを関連付けた第１の登録情報を格納するとともに、既に格納された第１の登録情報に含まれている紙面領域に対して別の編集手段から登録要求があった場合には、この登録要求を拒否する第１の登録手段と、
前記各素材のそれぞれについて編集可能な前記編集手段の登録要求を前記複数の編集手段のうちの何れかから受け付け、前記登録要求した編集手段と、対応する素材とを関連付けた第２の登録情報を格納するとともに、既に格納された第２の登録情報に含まれている素材に対して別の編集手段から登録要求があった場合には、この登録要求を拒否する第２の登録手段と、
前記各編集手段にそれぞれ設けられ、前記紙面データに基づく新聞紙面を表示する表示手段と、
前記各編集手段が、前記各登録手段に格納された登録情報にしたがって、編集可能な素材を編集可能な紙面領域に配置することによって前記紙面の編集を行い、同一紙面が前記複数の編集手段のうちの２つ以上の編集手段によって編集された場合には、この同一紙面の紙面データに基づく新聞紙面を、この紙面データを編集した各編集手段に設けられた表示手段からそれぞれ表示するようにした新聞紙面の制作システム。
【請求項２】
新聞紙面の制作時における編集状況を表示する方法であって、
新聞紙面に掲載する少なくとも記事、画像、写真からなる複数の素材を、各紙面に割り当て、前記割り当てられた素材を、前記紙面を構成している複数の紙面領域のうちの何れかに配置して前記紙面の紙面データを編集することを複数の編集手段によって行う編集工程と、
前記各紙面領域のそれぞれについて編集可能な前記編集手段の登録要求を前記複数の編集手段のうちの何れかから受け付け、前記登録要求した編集手段と、対応する紙面領域とを関連付けた第１の登録情報を記憶装置に格納するとともに、この記憶装置に既に格納された第１の登録情報に含まれている紙面領域に対して別の編集手段から登録要求があった場合には、この登録要求を拒否する第１の登録工程と、
前記各素材のそれぞれについて編集可能な前記編集手段の登録要求を前記複数の編集手段のうちの何れかから受け付け、前記登録要求した編集手段と、対応する素材とを関連付けた第２の登録情報を記憶装置に格納するとともに、この記憶装置に既に格納された第２の登録情報に含まれている素材に対して別の編集手段から登録要求があった場合には、この登録要求を拒否する第２の登録工程と、
前記紙面データに基づく新聞紙面を、前記各編集手段にそれぞれ設けられた表示手段から表示させる第１の表示工程と、
前記各編集手段が、前記各登録工程において格納された登録情報にしたがって、編集可能な素材を編集可能な紙面領域に配置することによって前記紙面の編集を行い、同一紙面が前記複数の編集手段のうちの２つ以上の編集手段によって編集された場合には、この同一紙面の紙面データに基づく新聞紙面を、この紙面データを編集した各編集手段に設けられた表示手段からそれぞれ表示させる第２の表示工程と
を含む編集状況表示方法。
【請求項３】
新聞紙面の制作時における編集状況を表示するコンピュータ読取可能なプログラムであって、
新聞紙面に掲載する少なくとも記事、画像、写真からなる複数の素材を、各紙面に割り当て、前記割り当てられた素材を、前記紙面を構成している複数の紙面領域のうちの何れかに配置して前記紙面の紙面データを編集することを複数の編集手段によって行うことを可能とする編集機能、
前記各紙面領域のそれぞれについて編集可能な前記編集手段の登録要求を前記複数の編集手段のうちの何れかから受け付け、前記登録要求した編集手段と、対応する紙面領域とを関連付けた第１の登録情報を記憶装置に格納するとともに、この記憶装置に既に格納された第１の登録情報に含まれている紙面領域に対して別の編集手段から登録要求があった場合には、この登録要求を拒否する第１の登録機能、
前記各素材のそれぞれについて編集可能な前記編集手段の登録要求を前記複数の編集手段のうちの何れかから受け付け、前記登録要求した編集手段と、対応する素材とを関連付けた第２の登録情報を記憶装置に格納するとともに、この記憶装置に既に格納された第２の登録情報に含まれている素材に対して別の編集手段から登録要求があった場合には、この登録要求を拒否する第２の登録機能、
前記紙面データに基づく新聞紙面を、前記各編集手段にそれぞれ設けられた表示手段から表示させる第１の表示機能、
前記各編集手段が、前記各登録機能によって格納された登録情報にしたがって、編集可能な素材を編集可能な紙面領域に配置することによって前記紙面の編集を行い、同一紙面が前記複数の編集手段のうちの２つ以上の編集手段によって編集された場合には、この同一紙面の紙面データに基づく新聞紙面を、この紙面データを編集した各編集手段に設けられた表示手段からそれぞれ表示させる第２の表示機能
をコンピュータに実現させるための編集状況表示プログラム。
【発明の詳細な説明】
【０００１】
【発明の属する技術分野】
本発明は、主に新聞社や印刷会社において使用される新聞紙面の制作システム、素材が配置された紙面を表示することによって紙面の編集状況を表示する編集状況表示方法、ならびに編集状況表示プログラムに関する。
【０００２】
【従来の技術】
従来、新聞紙面の制作は、図９に示すようなシステム構成の新聞紙面制作システムを用いてなされている。このような新聞紙面制作システムは、記事入力／校正端末１と、記事サーバ２と、画像入力／加工端末３と、画像サーバ４と、組版端末５と、組版編集サーバ６と、紙面データ格納部７と、出力サーバ８と、プリンタ／プロッタ９とによって構成されている。
【０００３】
記事入力／校正端末１は、記事の入力および校正を行うための端末であり、オペレータによって記事情報が入力されると、入力された記事情報は、この記事入力／校正端末１によって記事サーバ２に出力される。また、この記事入力／校正端末１によって、記事サーバ２に蓄積されている記事情報が取得される。この取得された記事情報は、記事入力／校正端末１を介してなされるオペレータ操作によって校正がなされ、更に校正された記事情報は、記事入力／校正端末１から記事サーバ２に再び出力される。
【０００４】
記事サーバ２では、このようにして記事入力／校正端末１から入力された記事情報の他に、図示しない通信回線を経由して通信社などから入力された記事情報も送信される。この送信された記事情報もまた記事サーバ２に蓄積される。更に、記事入力／校正端末１からの校正要求に基づいて、蓄積している記事情報の中から、要求のあった記事情報は、記事サーバ２から記事入力／校正端末１へと出力される。更に、記事サーバ２に蓄積されている記事情報は、オペレータ指示に基づいて組版編集サーバ６に出力される。
【０００５】
スキャナやディスプレイ等が備えられている画像入力／加工端末３では、画像データの入力および画像データの加工が行われる。入力された画像データは、画像入力／加工端末３から画像サーバ４へと出力される。また、オペレータから入力された画像データの加工操作入力に基づいて画像データの加工が行われ、加工された画像データは、この画像入力／加工端末３から画像サーバ４へと出力される。
【０００６】
画像入力／加工端末３から出力された画像データは、画像サーバ４に蓄積される。また、画像サーバ４に蓄積されている画像データは、画像入力／加工端末３から要求があると、画像入力／加工端末３に出力される。また、オペレータから指示があった場合には、組版編集サーバ６に出力される。
【０００７】
組版端末５は、オペレータが、記事、画像、および見出しのレイアウト編集を行うための操作入力を行う端末であり、各オペレータに対して１台ずつ備えられている。各オペレータは、自己が操作担当する組版端末５を操作することによってレイアウト編集作業を行っている。図９では、代表的に２台の組版端末５、すなわち組版端末５（＃ａ）と、組版端末５（＃ｂ）のみを示しているが、勿論２台に限るものではない。組版端末５に操作入力されて作成された操作情報は、組版編集サーバ６に出力される。
【０００８】
組版編集サーバ６では、組版端末５から出力された操作情報に基づいて、紙面データ７１の編集作業が行われる。そして、このように組版編集サーバ６で編集作業がなされた紙面データ７１は、紙面データ格納部７に格納される。また、一旦格納された紙面データ７１が再び組版編集サーバ６へと読み出され、再び編集作業が行われた後に紙面データ格納部７に格納されることも可能である。
【０００９】
図１０から図２０はこのような紙面Ｓ（１）の紙面データ７１（１）の一例を示すデータ構成図である。
【００１０】
すなわち、紙面データ７１（１）は、図１０に示すような管理情報と、図１１から図１９に示すような各素材情報と、図２０に示すような実データとからなっている。
【００１１】
管理情報は、図１０に示すように、掲載年月日７１ＫＮ（１）、面名７１ＭＮ（１）、版名７１ＨＮ（１）、印刷ページ番号７１ＰＧ（１）、体裁情報（組方向、段数、字詰、文字サイズ、段間、行間など）７１ＴＳ（１）、紙面Ｘ方向寸法７１ＰＸ（１）、紙面Ｙ方向寸法７１ＰＹ（１）の各データからなっている。
【００１２】
素材情報は、紙面への配置が検討されている全ての素材毎に存在するものである。したがって、例えば、記事ａ、記事ｂ、記事ｃ、画像ｄ、画像ｅ、小組ｇ、記事ｈ、記事ｉ、画像ｊの各素材情報の配置が検討されている紙面Ｓ（１）の場合においては、図１１から図１９に示すように、これら各素材毎に素材情報が存在する。
【００１３】
このような素材情報のデータ構成は、記事の場合、＃１素材情報（記事ａ）を対象とした図１１に示すように、素材種別７１ＳＢ（１＃１）、素材ＩＤ番号７１ＩＤ（１＃１）、配置情報７１ＬＴ（１＃１）、仮見出７１ＫＭ（１＃１）、記事のテキスト格納情報７１ＡＤ（１＃１）、記事のレイアウト済テキスト格納情報７１ＢＤ（１＃１）を持つ。
【００１４】
一方、画像の場合、＃４素材情報（画像ｄ）を対象とした図１４に示すように、記事のテキスト格納情報７１ＡＤに代えて画像の表示画の格納情報７１ＡＤ（１＃４）を、記事のレイアウト済テキスト格納情報７１ＢＤに代えて画像の実画像の格納情報７１ＢＤ（１＃４）を持つ。
【００１５】
実データは、図２０に示すように、＃ｎ素材情報毎の記事のテキスト７１ＴＸ（１＃ｎ）、レイアウト済テキスト７１ＬＸ（１＃ｎ）、画像の表示画データ７１ＨＩ（１＃ｎ）、画像の実画像データ７１ＲＩ（１＃ｎ）からなっている。
【００１６】
出力サーバ８では、組版端末５からの大刷／版下出力指示にしたがって、組版編集サーバ６から出力された紙面データ７１がドットデータに展開される。このように展開されたドットデータに基づいて、プリンタ／プロッタ９から大刷や版下が出力される。
【００１７】
【発明が解決しようとする課題】
しかしながら、このような従来の新聞紙面制作システムには、以下のような問題がある。
【００１８】
すなわち、上述したように、紙面のレイアウトの編集は、オペレータが組版端末５を操作することによってなされている。このようにして各紙面のレイアウトの編集がなされる場合、通常、各紙面はそれぞれ１人のオペレータによってなされている。したがって、各組版端末５（＃ａ，＃ｂ，・・・）は、それぞれ別の紙面のレイアウトの編集作業を担当していることになり、２つ以上の組版端末５が同一紙面のレイアウトの編集作業を行うような場合はない。
【００１９】
しかしながら、見開きページに該当する紙面や、あるいは締め切り時間が厳しい状態にある紙面については、２人以上のオペレータで共同して１つの紙面の編集作業を行わねばならない。この場合、２人以上のオペレータの操作する組版端末５は、同時に同一紙面のレイアウトの編集作業を行うことになる。図９を例に説明すると、組版端末５（＃ａ）と、組版端末５（＃ｂ）とは同一紙面のレイアウト編集作業を行うということになる。
【００２０】
しかしながら、従来技術の新聞紙面制作システムにおける組版端末５では、自己の組版端末５によってレイアウト編集作業がなされている状況を画面上に表示することができるが、他の組版端末５によってレイアウト編集作業がなされている作業の状況を表示することはできない。つまり、組版端末５（＃ａ）と組版端末５（＃ｂ）とが同一紙面のレイアウト編集作業を分担して行っている場合であっても、組版端末５（＃ａ）からは組版端末５（＃ｂ）によってなされているレイアウト編集作業の状況を見ることはできないし、逆に、組版端末５（＃ｂ）からは、組版端末５（＃ａ）によってなされているレイアウト編集作業の状況を見ることをできない。
【００２１】
このため、組版端末５（＃ａ）を操作するオペレータＡは、オペレータＢが組版端末５（＃ｂ）を介して行っているレイアウト編集作業の状況を把握するためには、適時組版端末５（＃ｂ）の作業状況を見に行かなくてはならない。これは、自己のレイアウト作業を中断せねばならないために、作業効率の低下をもたらしているという問題がある。自己の組版端末５を離れることなく電話や口頭によってお互いの作業状況を確認しあうという方法もあるが、実際のレイアウトを見ることなくお互いの作業状況を把握するということが困難であるということは容易に想像することができる。
【００２２】
本発明はこのような事情に鑑みてなされたものであり、紙面のレイアウト編集作業が複数の組版端末によって共同してなされている場合であっても、この紙面の全体のレイアウト編集作業状況を、任意の組版端末から表示可能とし、もって他の組版端末と共同して同一紙面のレイアウトを編集する場合であっても、この紙面全体のレイアウト編集作業状況を把握することが可能な新聞紙面の制作システムおよび編集状況表示方法、ならびに編集状況表示プログラムを提供することを目的とする。
【００２３】
【課題を解決するための手段】
上記の目的を達成するために、本発明では、以下のような手段を講じる。
【００２４】
すなわち、請求項１の発明の新聞紙面の制作システムは、複数の編集手段と、第１の登録手段と、第２の登録手段と、表示手段とを備えている。複数の編集手段は、新聞紙面に掲載する少なくとも記事、画像、写真からなる複数の素材を各紙面に割り当て、割り当てられた素材を、紙面を構成している複数の紙面領域のうちの何れかに配置して紙面の紙面データを編集する。第１の登録手段は、前記各紙面領域のそれぞれについて編集可能な前記編集手段の登録要求を前記複数の編集手段のうちの何れかから受け付け、登録要求した編集手段と、対応する紙面領域とを関連付けた第１の登録情報を格納するとともに、既に格納された第１の登録情報に含まれている紙面領域に対して別の編集手段から登録要求があった場合には、この登録要求を拒否する。第２の登録手段は、各素材のそれぞれについて編集可能な編集手段の登録要求を複数の編集手段のうちの何れかから受け付け、登録要求した編集手段と、対応する素材とを関連付けた第２の登録情報を格納するとともに、既に格納された第２の登録情報に含まれている素材に対して別の編集手段から登録要求があった場合には、この登録要求を拒否する。
そして、各編集手段が、各登録手段に格納された登録情報にしたがって、編集可能な素材を編集可能な紙面領域に配置することによって紙面の編集を行い、同一紙面が複数の編集手段のうちの２つ以上の編集手段によって編集された場合には、この同一紙面の紙面データに基づく新聞紙面を、この紙面データを編集した各編集手段に設けられた表示手段からそれぞれ表示する。
【００２５】
請求項２の発明は、新聞紙面の制作時における編集状況を表示する方法であって、編集工程と、第１の登録工程と、第２の登録工程と、第１の表示工程と、第２の表示工程とを含む。編集工程では、新聞紙面に掲載する少なくとも記事、画像、写真からなる複数の素材を、各紙面に割り当て、割り当てられた素材を、紙面を構成している複数の紙面領域のうちの何れかに配置して紙面の紙面データを編集することを複数の編集手段によって行う。第１の登録工程では、各紙面領域のそれぞれについて編集可能な編集手段の登録要求を複数の編集手段のうちの何れかから受け付け、登録要求した編集手段と、対応する紙面領域とを関連付けた第１の登録情報を記憶装置に格納するとともに、この記憶装置に既に格納された第１の登録情報に含まれている紙面領域に対して別の編集手段から登録要求があった場合には、この登録要求を拒否する。第２の登録工程では、各素材のそれぞれについて編集可能な編集手段の登録要求を複数の編集手段のうちの何れかから受け付け、登録要求した編集手段と、対応する素材とを関連付けた第２の登録情報を記憶装置に格納するとともに、この記憶装置に既に格納された第２の登録情報に含まれている素材に対して別の編集手段から登録要求があった場合には、この登録要求を拒否する。第１の表示工程では、前記紙面データに基づく新聞紙面を、各編集手段にそれぞれ設けられた表示手段から表示させる。第１の表示工程では、各編集手段が、各登録工程において格納された登録情報にしたがって、編集可能な素材を編集可能な紙面領域に配置することによって紙面の編集を行い、同一紙面が複数の編集手段のうちの２つ以上の編集手段によって編集された場合には、この同一紙面の紙面データに基づく新聞紙面を、この紙面データを編集した各編集手段に設けられた表示手段からそれぞれ表示させる。
【００２６】
請求項３の発明は、新聞紙面の制作時における編集状況を表示するコンピュータ読取可能なプログラムであって、編集機能、第１の登録機能、第２の登録機能、第１の表示機能、及び第２の表示機能をコンピュータに実現させる。編集機能は、新聞紙面に掲載する少なくとも記事、画像、写真からなる複数の素材を、各紙面に割り当て、割り当てられた素材を、紙面を構成している複数の紙面領域のうちの何れかに配置して紙面の紙面データを編集することを複数の編集手段によって行うことを可能とする。第１の登録機能は、各紙面領域のそれぞれについて編集可能な編集手段の登録要求を複数の編集手段のうちの何れかから受け付け、登録要求した編集手段と、対応する紙面領域とを関連付けた第１の登録情報を記憶装置に格納するとともに、この記憶装置に既に格納された第１の登録情報に含まれている紙面領域に対して別の編集手段から登録要求があった場合には、この登録要求を拒否する。第２の登録機能は、各素材のそれぞれについて編集可能な編集手段の登録要求を複数の編集手段のうちの何れかから受け付け、登録要求した編集手段と、対応する素材とを関連付けた第２の登録情報を記憶装置に格納するとともに、この記憶装置に既に格納された第２の登録情報に含まれている素材に対して別の編集手段から登録要求があった場合には、この登録要求を拒否する。第１の表示機能は、紙面データに基づく新聞紙面を、各編集手段にそれぞれ設けられた表示手段から表示させる。第２の表示機能は、各編集手段が、各登録機能によって格納された登録情報にしたがって、編集可能な素材を編集可能な紙面領域に配置することによって紙面の編集を行い、同一紙面が複数の編集手段のうちの２つ以上の編集手段によって編集された場合には、この同一紙面の紙面データに基づく新聞紙面を、この紙面データを編集した各編集手段に設けられた表示手段からそれぞれ表示させる。
【００２９】
従って、請求項１乃至３の発明では、以上のような手段を講じることにより、同一紙面が複数の編集手段または操作端末で共同して編集されている場合であっても、この紙面の全体の編集状況を表示することができる。
【００３０】
その結果、同一紙面の編集を担当しているオペレータは、自己の編集状況のみならず、この紙面の全体の編集状況を把握することが可能となる。
【００３１】
【発明の実施の形態】
以下に、本発明の実施の形態について図面を参照しながら説明する。
【００３２】
なお、以下の本発明の実施の形態の説明に用いる図中の符号は、図９から図２０と同一部分については同一符号を付す。
【００３３】
本発明の実施の形態を図１から図８を用いて説明する。
【００３４】
図１は、本発明の実施の形態に係る新聞紙面の編集状況表示方法を適用した新聞紙面制作システムの構成例を示す機能ブロック図である。
【００３５】
すなわち、本発明の実施の形態に係る新聞紙面の編集状況表示方法を適用した新聞紙面制作システムは、例えば磁気ディスク等の記憶媒体に記憶された編集状況表示プログラムを読み込み、この編集状況表示プログラムによって動作が制御されるコンピュータによって実現されるものであって、図９に示す従来技術の新聞紙面制作システムと同様、記事入力／校正端末１と、記事サーバ２と、画像入力／加工端末３と、画像サーバ４と、組版端末５と、組版編集サーバ６と、紙面データ格納部７と、出力サーバ８と、プリンタ／プロッタ９とを備えているが、組版端末５にレイアウト処理部５０を付加するとともに、組版編集サーバ６が更に素材使用権登録テーブル６１と紙面領域使用権登録テーブル６２とを保持する構成としている。
【００３６】
したがって、ここでは、図９と同一部分については同一符号を付してその説明を省略し、異なる部分についてのみ述べる。
【００３７】
組版端末５に備えられたレイアウト処理部５０は、図２から図５のフローチャートに示すように動作し、紙面データ７１に基づく素材使用権登録テーブル６１の作成、紙面データ７１に基づく紙面領域使用権登録テーブル６２の作成、紙面データ７１の更新、紙面領域使用権登録テーブル６２に基づく紙面レイアウト状況の表示、紙面領域使用権登録テーブル６２に基づく紙面レイアウト状況の定期表示を行う。
【００３８】
組版編集サーバ６に保持される素材使用権登録テーブル６１は、図６に示すように、各紙面Ｓ（ｍ）毎に配置される素材情報（＃ｎ）毎に、この素材情報（＃ｎ）の使用権を持つ組版端末５の端末ＩＤ番号が書き込まれたデータテーブルである。図６は、紙面Ｓ（１）についての素材使用権登録テーブル６１（１）の一例であり、各素材情報（＃ｎ）毎の素材種別６１ＳＢ（１＃ｎ）、素材ＩＤ番号６１ＩＤ（１＃ｎ）、使用権を持つ組版端末の端末ＩＤ番号６１ＲＶ（１＃ｎ）から構成している。
【００３９】
また、組版編集サーバ６に保持される紙面領域使用権登録テーブル６２は、図７に示すように、各紙面Ｓ（ｍ）毎の紙面領域（＃ｐ）毎に、この紙面領域（＃ｐ）の使用権を持つ組版端末５の端末ＩＤ番号が書き込まれたデータテーブルである。図７は、紙面Ｓ（１）についての紙面領域使用権登録テーブル６２（１）の一例であり、各紙面領域（＃ｐ）毎の領域対角線始点Ｘ座標６２ＳＸ（１＃ｐ）、領域対角線始点Ｙ座標６２ＳＹ（１＃ｐ）、領域対角線終点Ｘ座標６２ＥＸ（１＃ｐ）、領域対角線終点Ｙ座標６２ＥＹ（１＃ｐ）、使用権を持つ組版端末の端末ＩＤ番号６２ＲＶ（１＃ｐ）から構成している。
【００４０】
次に、以上のように構成した本発明の実施の形態に係る新聞紙面の編集状況表示方法を適用した新聞紙面制作システムの動作について、図２から図６に示すフローチャートを用いて説明する。
【００４１】
まず、図２に示すフローチャートを用いて、レイアウト処理部５０によってなされる素材使用権登録テーブル６１の作成時における動作について説明する。
【００４２】
素材使用権登録テーブル６１が作成される場合には、組版端末５に備えられたレイアウト処理部５０によって、紙面データ格納部７に格納されている紙面データ７１が読み込まれる（Ｓ１）。そして、この読み込まれた紙面データ７１に含まれる素材情報（＃ｎ）のうち、素材使用権登録テーブル６１に未だ登録されていない素材情報（＃ｎ）のみが組版端末５の画面上に表示される（Ｓ２）。
【００４３】
そして、オペレータによって、この画面表示された素材情報（＃ｎ）のうちの何れかが、このオペレータの操作する組版端末５がその使用権を有する組版端末として指定された場合（Ｓ３：Ｙｅｓ）には、この素材情報（＃ｎ）の「使用権をもつ組版端末の端末ＩＤ番号」６１ＩＤ（１＃ｎ）の、素材使用権登録テーブル６１への登録操作がなされる（Ｓ４）。
【００４４】
このようにして素材使用権登録テーブル６１への「使用権をもつ組版端末の端末ＩＤ番号」６１ＩＤ（１＃ｎ）の登録がなされる（Ｓ５：Ｙｅｓ）と、紙面領域使用権登録テーブル６２の作成を完了する。登録指定した素材情報（＃ｎ）が既に他の組版端末５によって使用権登録がなされている場合（Ｓ５：Ｎｏ）には、登録はなされずエラーメッセージによってその旨が分かるように表示される（Ｓ６）。
【００４５】
次に、図３に示すフローチャートを用いて、レイアウト処理部５０によってなされる紙面領域使用権登録テーブル６２の作成時における動作について説明する。
【００４６】
紙面領域使用権登録テーブル６２が作成される場合には、組版端末５に備えられたレイアウト処理部５０によって、紙面データ格納部７に格納されている紙面データ７１が読み込まれる（Ｓ１１）。次に、組版編集サーバ６に保持されている紙面領域使用権登録テーブル６２がレイアウト処理部５０に読み込まれる。なお、紙面領域使用権登録テーブル６２が組版編集サーバ６に保持されていない場合には、紙面領域使用権登録テーブル６２が初期化され、作成される（Ｓ１２）。
【００４７】
そして、ステップＳ１２で読み込まれた、あるいは初期化された紙面領域使用権登録テーブル６２がレイアウト処理部５０から表示されることによって、紙面領域における使用権の設定状況がオペレータによって認識される（Ｓ１３）。オペレータが紙面領域の指定を行う場合（Ｓ１４：Ｙｅｓ）には、ステップＳ１３において表示された内容に基づいて、所望する紙面領域の端末ＩＤ番号６２ＲＶに、自己の組版端末５の端末ＩＤ番号を入力することによって紙面領域の指定を行う（Ｓ１５）。
【００４８】
そして、ステップＳ１５で指定された紙面領域が、既に他の組版端末５によって使用権登録がなされている紙面領域と重なる場合（Ｓ１６：Ｙｅｓ）には、登録はなされずエラーメッセージによってその旨が分かるように表示される（Ｓ１７）。一方、ステップＳ１５で指定された紙面領域が、未だに何れの組版端末５からも使用権登録がなされていない場合（Ｓ１６：Ｎｏ）には、ステップＳ１５で入力された端末ＩＤ番号が、紙面領域使用権登録テーブル６２の該当する紙面領域（＃ｒ）の「使用権を持つ端末の端末ＩＤ番号」６２ＲＶ（＃ｒ）として登録される（Ｓ１８）。
【００４９】
次に、図４に示すフローチャートを用いて、レイアウト処理部５０によってなされる素材情報の紙面への配置作業時における動作について説明する。
【００５０】
オペレータがレイアウト処理部５０を操作することによって行う素材の紙面上への配置操作は、先ず、オペレータがレイアウト処理部５０に配置コマンドを入力する（Ｓ２１：Ｙｅｓ）ことによって操作可能な状態となる。このようにしてレイアウト処理部５０に配置コマンドが入力されると、素材使用権登録テーブル６１および紙面領域使用権登録テーブル６２が参照され、オペレータは、自己の組版端末５を介して、このレイアウト処理部５０が属する組版端末５の端末ＩＤ番号６２ＲＶによって使用権が指定された紙面領域（＃ｒ）に、素材使用権登録テーブル６１において使用権が指定されている素材を配置することが可能となる。オペレータが、自己の組版端末５を操作することによって、使用権が指定された紙面領域（＃ｒ）に、使用権が指定されている素材を配置することによって紙面のレイアウト作業を行う（Ｓ２２）と、対応する紙面Ｓ（ｍ）の紙面データ７１（ｍ）の内容が更新され（Ｓ２３）、更に、当該組版端末５によって素材が配置された内容に基づいて紙面レイアウト状態が表示される（Ｓ２４）。
【００５１】
更に、図５に示すフローチャートを用いて、複数の組版端末５によってレイアウト処理がなされた紙面のレイアウト表示時における動作について説明する。
【００５２】
複数の組版端末５によってレイアウトがなされた紙面のレイアウト表示を行う場合には、レイアウト処理部５０によって、紙面データ格納部７から対応紙面の紙面データ７１が（Ｓ３１）、更に組版編集サーバ６から紙面領域使用権登録テーブル６２が（Ｓ３２）それぞれ読み込まれる。
【００５３】
そして、要求元の組版端末５上からは、ステップＳ３１において読み込まれた紙面データ７１に基づいて、対応紙面のレイアウト状態が図８にその一例を示すようにして表示される（Ｓ３３）。例えば、要求元の組版端末が組版端末５（＃ａ）である場合には、紙面領域使用権登録テーブル６２で指定された使用領域に基づいて、自己の組版端末５（＃ａ）が使用権を有する紙面領域と、他の組版端末（例えば、組版端末５（＃ｂ））が使用権を有する紙面領域とが区別可能なように表示される。図８に示す例では、図中太線枠で囲まれた領域が自己の組版端末５（＃ａ）が使用権を有する紙面領域であり、図中点線枠で囲まれた領域が他の組版端末５（＃ｂ）が使用権を有する紙面領域である。
【００５４】
このようにして、複数の組版端末５によってレイアウト処理された紙面のレイアウト状態を自己の組版端末５（＃ａ）上から表示することができるが、他の組版端末５（＃ｂ）によって編集された紙面領域については、使用権を有していないために編集操作をすることができない。
【００５５】
なお、図５のフローチャートに示すような動作を、予め定めた所定周期毎にレイアウト処理部５０に実行させることによって、複数の組版端末５によってレイアウト処理がなされている紙面のレイアウトは、組版端末５の表示画面から定期的に表示される。
【００５６】
なお、本発明の実施の形態に係る新聞紙面の編集状況表示方法を適用した新聞紙面制作システムは、記憶媒体に格納した編集状況表示プログラムをコンピュータに読み込ませることで実現させることができる。
【００５７】
ここで本発明における記憶媒体としては、磁気ディスク、フロッピー（登録商標）ディスク、ハードディスク、光ディスク（ＣＤ−ＲＯＭ、ＤＶＤ等）、光磁気ディスク（ＭＯ等）、半導体メモリ等、プログラムを記憶でき、かつコンピュータが読み取り可能な記憶媒体であれば、その記憶形式は何れの形態であってもよい。
【００５８】
また、記憶媒体からコンピュータにインストールされた編集状況表示プログラムの指示に基づきコンピュータ上で稼働しているＯＳ（オペレーティングシステム）や、データベース管理ソフト、ネットワークソフト等のＭＷ（ミドルウェア）等が本発明の実施の形態を実現するための各処理の一部を実行してもよい。
【００５９】
さらに、本発明における記憶媒体は、コンピュータと独立した媒体に限らず、ＬＡＮやインターネット等により伝送された同一素材差異検出プログラムをダウンロードして記憶又は一時記憶した記憶媒体も含まれる。
【００６０】
また、記憶媒体は１つに限らず、複数の媒体から本発明の実施の形態における処理が実行される場合も本発明における記憶媒体に含まれ、媒体構成は何らの構成であってもよい。
【００６１】
なお、本発明におけるコンピュータは、記憶媒体に記憶された編集状況表示プログラムに基づき、本発明の実施の形態における各処理を実行するものであって、パソコン等の１つからなる装置、複数の装置がネットワーク接続されたシステム等の何れの構成であってもよい。
【００６２】
また、本発明におけるコンピュータとは、パソコンに限らず、情報処理機器に含まれる演算処理装置、マイコン等も含み、プログラムによって本発明の機能を実現することが可能な機器、装置を総称している。
【００６３】
上述したように、本発明の実施の形態に係る新聞紙面の編集状況表示方法を適用した新聞紙面制作システムにおいては、紙面領域使用権登録テーブル６２に、使用権を有する組版端末５を紙面領域毎に登録しておき、この紙面領域使用権登録テーブル６２と紙面データ７１とに基づくことによって、同一紙面が例えば組版端末５（＃ａ）と組版端末５（＃ｂ）とのように複数の組版端末５で共同して編集されている場合であっても、この紙面の全体の編集状況を任意の組版端末５から表示することができる。この場合、組版端末５（＃ａ）から表示した例である図８に示すように、自己の組版端末５（＃ａ）が使用権を有する紙面領域と、他の組版端末５（＃ｂ）が使用権を有する紙面領域とを識別可能なように表示することができる。
【００６４】
したがって、オペレータは、図８に示すような表示画面を参照することによって、自己の組版端末５（＃ａ）によって編集されたレイアウト処理のみならず、他の組版端末５（＃ｂ）によってなされたレイアウト処理をも合わせて、この紙面の全体レイアウト状況を容易に把握することが可能となる。
【００６５】
この場合、他の組版端末５（＃ｂ）によって編集された紙面領域は、紙面領域使用権登録テーブル６２において使用可能な組版端末として組版端末５（＃ｂ）が登録され、他の組版端末５（＃ａ）からの操作要求は受け付けないようになっているので、組版端末５（＃ａ）からの編集処理はできず、誤って組版端末５（＃ｂ）によって編集処理された内容を書き換えるようなことは無い。
【００６６】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００６７】
【発明の効果】
以上説明したように、本発明によれば、紙面のレイアウト編集作業が複数の組版端末によって共同してなされている場合であっても、この紙面の全体のレイアウト編集作業状況を、任意の組版端末から表示することができる。
【００６８】
以上により、他の組版端末と共同して同一紙面のレイアウトを編集する場合であっても、この紙面全体のレイアウト編集作業状況を把握することが可能な新聞紙面の制作システムおよび編集状況表示方法、ならびに編集状況表示プログラムを提供することを実現することができる。
【図面の簡単な説明】
【図１】本発明の実施の形態に係る新聞紙面の編集状況表示方法を適用した新聞紙面制作システムの構成例を示す機能ブロック図
【図２】素材使用権登録テーブルの作成時における動作を示すフローチャート
【図３】紙面領域使用権登録テーブルの作成時における動作を示すフローチャート
【図４】素材情報の紙面への配置作業時における動作を示すフローチャート
【図５】複数の組版端末によってレイアウト処理がなされた紙面のレイアウト表示時における動作を示すフローチャート
【図６】素材使用権登録テーブルの一例を示すデータ構成図
【図７】紙面領域使用権登録テーブルの一例を示すデータ構成図
【図８】組版端末から表示される紙面のレイアウト状態の一例を示す模式図
【図９】従来技術による新聞紙面制作システムを示す機能構成図
【図１０】紙面データの管理情報の一例を示すデータ構成図
【図１１】紙面データの＃１素材情報（記事ａの場合）の一例を示すデータ構成図
【図１２】紙面データの＃２素材情報（画像ｂの場合）の一例を示すデータ構成図
【図１３】紙面データの＃３素材情報（記事ｃの場合）の一例を示すデータ構成図
【図１４】紙面データの＃４素材情報（画像ｄの場合）の一例を示すデータ構成図
【図１５】紙面データの＃５素材情報（画像ｅの場合）の一例を示すデータ構成図
【図１６】紙面データの＃６素材情報（小組ｇの場合）の一例を示すデータ構成図
【図１７】紙面データの＃７素材情報（記事ｈの場合）の一例を示すデータ構成図
【図１８】紙面データの＃８素材情報（記事ｉの場合）の一例を示すデータ構成図
【図１９】紙面データの＃９素材情報（画像ｊの場合）の一例を示すデータ構成図
【図２０】紙面データの実データの一例を示すデータ構成図
【符号の説明】
１…記事入力／校正端末
２…記事サーバ
３…画像入力／加工端末
４…画像サーバ
５…組版端末
６…組版編集サーバ
７…紙面データ格納部
８…出力サーバ
９…プリンタ／プロッタ
５０…レイアウト処理部
６１…素材使用権登録テーブル
６２…紙面領域使用権登録テーブル
７１…紙面データ
【図１】
0003977673.tif 000002
【図２】
0003977673.tif 000003
【図３】
0003977673.tif 000004
【図４】
0003977673.tif 000005
【図５】
0003977673.tif 000006
【図６】
0003977673.tif 000007
【図７】
0003977673.tif 000008
【図８】
0003977673.tif 000009
【図９】
0003977673.tif 000010
【図１０】
0003977673.tif 000011
【図１１】
0003977673.tif 000012
【図１２】
0003977673.tif 000013
【図１３】
0003977673.tif 000014
【図１４】
0003977673.tif 000015
【図１５】
0003977673.tif 000016
【図１６】
0003977673.tif 000017
【図１７】
0003977673.tif 000018
【図１８】
0003977673.tif 000019
【図１９】
0003977673.tif 000020
【図２０】
0003977673.tif 000021